(57)【特許請求の範囲】
【請求項１】
給水源から導かれた水を加熱して温水化する加熱手段と、
この加熱手段で加熱された温水を貯溜する貯湯タンクと、
この貯湯タンク底部に接続され、給水源から貯湯タンクへ水を供給する給水管と、
この給水管に設けられ、水の供給を開閉自在に遮断する給水停止弁と、
上記貯湯タンク上部と浴槽や厨房等に設けられる給湯栓とを連通し、上記給水管と給水停止弁を介して導かれる水の給水圧によって貯湯タンク上部から押し出される高温水を導く出湯管と、
この出湯管に設けられるとともに、上記給水管から分岐し貯湯タンクをバイパスする給水バイパス管に接続され、貯湯タンクから導かれる高温水と給水バイパス管から導かれる水とを混合する混合弁と、
設定された温度となるよう上記混合弁を制御して給湯を開始し、設定された給湯量に到達した状態で、上記出湯管に低温の湯を溜めるよう制御する制御手段と、
を具備することを特徴とする貯湯式給湯機。
【請求項２】
上記制御手段は、設定された給湯量に到達する直前に、混合弁の高温水側の開度を絞って設定温度よりも低い温度にして給湯し、設定された給湯量に到達したところで上記給水停止弁を遮断し、上記出湯管に低温の湯を溜めるよう制御することを特徴とする請求項１記載の貯湯式給湯機。
【請求項３】
上記制御手段は、上記給水停止弁を制御して、上記出湯管に低温の湯を溜めることを特徴とする請求項１記載の貯湯式給湯機。
【請求項４】
上記制御手段は、設定された給湯量に到達したとき、上記給水停止弁の開度を半開に絞って所定時間その状態を保持し、しかる後、給水停止弁を全閉して、上記出湯管に低温の湯を溜めるよう制御することを特徴とする請求項３記載の貯湯式給湯機。
【請求項５】
上記制御手段は、設定された給湯量に到達する以前から上記給水停止弁の開度を徐々に絞り、設定された給湯量に到達したとき給水停止弁を全閉して、上記出湯管に低温の湯を溜めるよう制御することを特徴とする請求項３記載の貯湯式給湯機。
【請求項６】
上記制御手段は、設定された給湯量に到達する以前から上記給水停止弁の開度を徐々に絞り、設定された給湯量に到達する直前で上記給水停止弁のそのときの開度を保持し、設定された給湯量に到達したとき給水停止弁を全閉して、上記出湯管に低温の湯を溜めるよう制御することを特徴とする請求項３記載の貯湯式給湯機。
【請求項７】
上記制御手段は、設定された給湯量に到達する直前に、混合弁の高温水側の開度を絞って設定温度よりも低い温度にして給湯し、設定された給湯量に到達したとき、上記給水停止弁の開度を半開に絞って所定時間その状態を保持し、しかる後、給水停止弁を全閉して、上記出湯管に低温の湯を溜めるよう制御することを特徴とする請求項１記載の貯湯式給湯機。
【発明の詳細な説明】
【技術分野】
【０００１】
本発明は、ヒートポンプユニット等の加熱手段で加熱された高温水を貯湯タンクに貯溜し、貯湯タンクからの高温水と給水源からの水とを混合して設定温度の湯とし、給湯する貯湯式給湯機に関する。
【背景技術】
【０００２】
たとえば［特許文献１］には、深夜料金時間帯に、加熱手段であるヒートポンプユニットの運転を開始するとともに、このヒートポンプユニットと貯湯タンクとを連通する循環回路に設けられる循環ポンプを駆動するようにした貯湯式給湯機が開示される。
【０００３】
貯湯タンクに溜められていた温水は循環ポンプによりヒートポンプユニットに導かれて加熱され、再び貯湯タンクに導かれる。貯湯タンクとヒートポンプユニットを循環しているうちに貯湯タンク内の温水は温度上昇し、設定された温度の高温水に変ったところで、ヒートポンプユニットと循環ポンプの運転が停止制御される。
【０００４】
日中等に浴室、厨房、洗面所等に設けられる給湯栓を開放すると、給水源から導かれる水の水圧により貯湯タンク上部に接続される出湯管へ高温水が押し出され、出湯管に設けられた混合弁に導かれる。一方、給水源から貯湯タンクをバイパスして水が混合弁に導かれ、ここで高温水と水とが混合して設定温度の湯となり、給湯栓から給湯される。
【先行技術文献】
【特許文献】
【０００５】
【特許文献１】特開２００９−１５６４９４号公報
【発明の概要】
【発明が解決しようとする課題】
【０００６】
通常、上述の貯湯式給湯機においてリモコンには、浴槽に対する湯はり量設定スイッチおよび、湯はりスイッチが設けられている。浴槽へ湯はりするには、ユーザーは湯はり量設定スイッチで所望の湯はり量を設定したうえで、湯はりスイッチをオンする。
【０００７】
給水源の水を貯湯タンクへ導く給水管の中途部には給水停止弁が設けられていて、この給水停止弁は、給湯栓が開放された状態で即、給湯栓から給湯されるよう、全開状態にして給湯を待機している。
【０００８】
制御部は確実に給水停止弁が全開状態にあるか否かを確認し、何らかの事情で給水停止弁が全閉状態になっていたら、これを全開に変える。上記湯はりスイッチをオンしたあとで、ユーザーは浴槽に向けて設けられる給湯栓を開放する。浴槽への給湯が開始されるが、このとき混合弁が自動調節されて設定温度の湯が出湯される。
【０００９】
設定された湯はり量の湯が浴槽に溜められると、湯はり量設定スイッチが検知し、混合弁の開度を維持したまま、給水停止弁が全閉状態に切換え制御される。貯湯タンクからの出湯が停止に至り浴槽への給湯が終了するので、ユーザーは給湯栓を締め、湯はりスイッチをオフする。制御部はこれを確認してから給水停止弁を再び全開にして、次の給湯栓開放を待機する。
【００１０】
ここで問題は、設定された湯はり量の湯が浴槽に溜められた直後に給水停止弁が全開から瞬時に全閉状態に切換っても、実際には、給水源から貯湯タンクへの給水が慣性や貯湯タンク内圧によって、短時間は一部の高温水が貯湯タンクから出湯管へ押し出されることである。
【００１１】
その一方で給湯栓は締められているから、貯湯タンクから押し出された高温水が貯湯タンクと各給湯栓との間の出湯管内に溜まってしまう。長時間経過後は溜まった高温水が放熱して比較的影響が少ないが、出湯管に高温水が滞留した状態から短時間で給湯栓を開放してしまうと、出湯管に滞留していた高温水が先に出る虞れがある。
【００１２】
本発明は上記事情にもとづきなされたものであり、その目的とするところは、たとえば浴槽へ設定量の給湯を終了した後は、出湯管に低温の湯を溜める。給湯終了直後に給湯栓を開放しても高温水が出ることが無く、低温の温水が出るようにして、使い勝手を向上させた貯湯式給湯機を提供しようとするものである。
【課題を解決するための手段】
【００１３】
上記目的を満足するため本発明の貯湯式給湯機は、加熱手段が貯湯タンク下部から導かれた水を加熱して温水化し、貯湯タンクは加熱手段で加熱された温水を貯溜し、給水管が給水源から貯湯タンク底部へ水を供給し、給水停止弁は給水管から貯湯タンクへの水の供給を開閉自在に遮断する。  
出湯管は、貯湯タンク上部と浴槽や厨房等に設けられる給湯栓とを連通し、給水管と給水停止弁を介して導かれる水の給水圧によって貯湯タンク上部から押し出される高温水を導く。  
混合弁が、出湯管に設けられるとともに、給水管から分岐し貯湯タンクをバイパスする給水バイパス管に接続され、貯湯タンクから導かれる高温水と給水バイパス管から導かれる水とを混合する。  
制御手段は、設定された温度となるよう混合弁を制御して給湯を開始し、設定された給湯量に到達した状態で、出湯管に低温の湯を溜めるよう制御する。
【発明の効果】
【００１４】
本発明によれば、設定量の湯を給湯した直後に給湯栓を開放しても、低温の温水が出るので、使い勝手の向上を得られる等の効果を奏する。
【図面の簡単な説明】
【００１５】
【図１】本発明における実施の形態に係る、貯湯式給湯機の概略の構成図。
【図２】同実施の形態に係る、貯湯式給湯機の概略の制御ブロック図。
【図３】第１の実施の形態に係る、湯はり制御のフローチャート図。
【図４】第２の実施の形態に係る、湯はり制御のフローチャート図。
【図５】第３の実施の形態に係る、湯はり制御のフローチャート図。
【発明を実施するための形態】
【００１６】
以下、本発明の実施の形態を図面にもとづいて説明する。  
図１は、貯湯式給湯機の概略の構成図である。  
図中１は、温水を貯溜する貯湯タンク２等を備えた貯湯タンクユニットである。図中３は、上記貯湯タンクユニット１と２本の連通管４ａ，４ｂを介して連通され、貯湯タンク２内の温水を加熱する加熱手段である、たとえばヒートポンプユニットである。
【００１７】
上記ヒートポンプユニット３には、圧縮機と、凝縮器である冷媒−水熱交換器と、減圧手段である電子膨張弁と、送風機による強制空冷式の蒸発器とが備えられ、これらは冷媒管を介してヒートポンプ式冷凍サイクル回路を構成するよう連通される。
【００１８】
さらにヒートポンプユニット３は、たとえば厨房に設置されるリモコン（遠隔操作盤）からの操作信号を受けて、上記圧縮機や電子膨張弁を制御するヒートポンプユニット３用の制御部を備えている。（全て図示しない）
上記一方の連通管４ａは、上記貯湯タンクユニット１に収容される貯湯タンク２の底部と、上記ヒートポンプユニット３とを連通していて、この中途部には図示しない循環ポンプが設けられており、往き用連通管４ａを構成する。他方の連通管４ｂは、貯湯タンク２の上部とヒートポンプユニット３とを連通しており、戻り用連通管４ｂを構成する。
【００１９】
貯湯タンク２底部には、図示しない給水源（たとえば水道管）と連通する給水管５が接続される。この給水管５の中途部に給水停止弁６が設けられていて、開閉制御することにより給水源から貯湯タンク２への給水と給水停止が可能である。
【００２０】
貯湯タンク２上部に出湯管７が接続されていて、この出湯管７は貯湯タンクユニット１から延出され、浴室の浴槽Ｓに対向して設けられる給湯栓８に接続される。出湯管７の端末部は分岐されていて、この分岐出湯管は、たとえば厨房室、洗面所、浴室等にそれぞれ設けられる給湯栓９に接続される。
【００２１】
上記出湯管７の中途部には、混合弁１０と、流量センサ１１と、混合湯温センサ１２が順次、設けられている。さらに上記混合弁１０には、上記給水管５における給水停止弁６と貯湯タンク２との間から分岐し、貯湯タンク２をバイパスして給水する給水バイパス管１３が接続される。
【００２２】
すなわち、混合弁１０は、それぞれの開度が制御可能な高温水接続口ａおよび給水接続口ｂとを備えている。上記出湯管７は高温水接続口ａに接続され、上記給水バイパス管１３は給水接続口ｂに接続される。
【００２３】
上記混合弁１０において、貯湯タンク２から出湯管７から導かれる高温水と、給水源から給水管５と給水バイパス管１３を介して導かれる水とが混合する。上記高温水接続口ａと給水接続口ｂに対する絞り制御により、設定温度の湯として導出できるようになっている。
【００２４】
上記貯湯タンク２には、複数のタンク温度センサＣが、貯湯タンク２の上下方向に所定の間隔を存して設けられている。それぞれのタンク温度センサＣのオン−オフ信号により、貯湯タンク２内における貯溜量が分る。
【００２５】
このような貯湯タンクユニット１には、制御部（制御手段）１５が設けられる。  
図２は、貯湯タンクユニット１用の概略の制御ブロック図を示している。  
上記制御部１５には、タンク温度センサＣと、流量センサ１１と、混合湯温センサ１２から検知信号が送られる。制御部１５は、これらセンサＣ、１１，１２からの検知信号を受けて演算をなし、上記給水停止弁６および混合弁１０へ制御信号を送るようになっている。
【００２６】
上記リモコンは、貯湯タンクユニット１用の制御部とも接続されていて、貯湯式給湯機全体の制御を行う。具体的には、貯湯式給湯機の運転停止、給湯温度の設定、浴槽の湯はり量の設定、浴槽への湯はり開始を指示する湯はりスイッチおよび、各種運転モードの設定ができ、時刻や湯温などを表示する表示部を備えている。
【００２７】
このようにして構成される貯湯式給湯機であって、廉価な深夜料金時間帯になると、リモコンに設定された情報にもとづいて貯湯タンクユニット１用の制御部１５が翌日に必要な貯溜量を演算する。この情報が制御部１５からヒートポンプユニット３用の制御部へ送られ、圧縮機および循環ポンプの駆動が開始される。
【００２８】
循環ポンプの駆動により、貯湯タンク２の底部から取り出された温水が往き用連通管４ａを介してヒートポンプユニット３へ導かれる。ここで、ヒートポンプ式冷凍サイクル回路を構成する冷媒−水熱交換器に導かれて加熱され、設定温度に上昇する。この高温水は、戻り用連通管４ｂを介して貯湯タンク２上部に戻される。
【００２９】
貯湯タンク２とヒートポンプユニット３を温水が循環し、運転時間の経過とともに貯湯タンク２内に高温水が充満する。貯湯タンク２に設けられた貯湯温度センサもしくは、循環ポンプと水−冷媒熱交換器とを連通する往き用連通管４ａに設けられた熱交入口温度センサ（いずれも図示しない）が設定温度以上を検知する。
【００３０】
この検知信号が貯湯タンクユニット１用の制御部１５へ送られ、制御部１５はヒートポンプユニット３用の制御部へ加熱停止信号を送り、この制御部は圧縮機と循環ポンプの駆動停止を制御する。貯湯タンク２には設定温度の高温水が満量状態で収容されて貯溜が終了し、日中等の給湯操作を待機する。
【００３１】
日中等に、たとえば厨房の給湯栓９を開放すると、これを流量センサ１１が感知し給水停止弁６が開放されて給水源から水が給水管５を介して貯湯タンク２底部へ導かれる。給水管５からの給水圧により貯湯タンク２上部の高温水が出湯管７に押し上げられ、混合弁１０へ供給される。
【００３２】
一方、給水管５に導かれる水は給水バイパス管１３へ分流され、混合弁１０に導かれて貯湯タンク２から供給される高温水と混合する。ここで温度低下した温水が流量センサ１１に導かれて流量が計測され、混合湯温センサ１２により温水の温度が検知される。
【００３３】
上記混合湯温センサ１２の検知信号が貯湯タンクユニット制御用の制御部１５へ送られ、制御部１５は演算して制御信号を混合弁１０へ送る。混合弁１０における高温水接続口ａと給水接続口ｂ（もしくは、高温水接続口ａのみ）の開度量が制御され、設定温度の湯となって給湯栓９へ導かれ、給湯される。
【００３４】
従来では、浴槽へ設定量の湯はりをなした後、給水停止弁を全閉に切換えても、貯湯タンクへの給水が慣性によって短時間は継続され、貯湯タンク内の高温水が押し出されて出湯管内に溜まる。この直後に厨房等の給湯栓を開放すると、出湯管に滞留する高温水が、設定温度に制御された湯よりも先に出る虞れがある。
【００３５】
そこで本発明は、設定された温度となるよう混合弁１０を制御して給湯を開始し、浴槽Ｓへの給湯が設定された給湯量（湯はり量）に到達した状態で、出湯管７に低温の温水を溜めるように制御する制御部１５を備えたことを特徴とする。
【００３６】
実際には、以下に述べるような作用となる。  
第１の実施の形態では、浴槽Ｓに対して設定された湯はり量に到達する直前に、制御部１５が混合弁１０の高温水側の開度を絞り、設定温度よりも低い温度で給湯するよう制御する。そして、設定された湯はり量に到達したところで給水停止弁６を遮断し、出湯管７に低温の湯を溜めるよう制御する。
【００３７】
さらに詳細に説明する。  
図３に、上記第１の実施の形態における湯はり制御のフローチャートを示す。  
ステップＳ１の「湯はり動作スタート」では、ユーザーがリモコンの湯はりスイッチを押してオン状態とする。リモコンから貯湯タンクユニット１の制御部１５にオン信号が送られ、ステップＳ２となる。
【００３８】
ステップＳ２において、制御部１５から給水停止弁６へ「給水停止弁・全開」の指令が送られる。給湯栓８，９が開放されると即、給湯が開始されるよう、給水停止弁６は全開となっていて、何らかの事情で給水停止弁６が全閉状態になっていたら、制御部１５はこれを全開に変える。
【００３９】
給水源から給水管５と給水停止弁６を介して貯湯タンク２底部に水が導かれ、貯湯タンク２内に給水圧がかかる。ユーザーは、リモコンの湯はりスイッチをオンにした後、浴槽Ｓに対して設けられる給湯栓８を開放しなければならない。
【００４０】
つぎにステップＳ３に移って、「湯はり開始操作ありか？」が選択される。ここでは、上記浴槽Ｓ用の給湯栓８が開放されたか否かが確認される。Ｎｏの場合はステップＳ２に戻り、Ｙｅｓの場合はステップＳ４へ移る。
【００４１】
ステップＳ３で給湯栓８が開放されると、給水管５から貯湯タンク２底部にかかる給水圧により貯湯タンク２上部の高温水は押し上げられて出湯管７に導かれる。同時に、水が給水バイパス管１３を介して混合弁１０に導かれ、高温水と混合する。高温水は低温化し、流量センサ１１は流通する温水の流量を計測して計測信号を制御部１５へ送る。
【００４２】
ステップＳ４において、制御部１５は混合弁１０に対して、「湯はり設定温度に調整」するよう制御信号を送る。混合弁１０で低温化した温水は、設定温度の湯になって混合湯温センサ１２を流通する。混合湯温センサ１２は湯の温度を逐次検知して制御部１４へ検知信号を送り、制御部１５から混合弁１０へ制御信号がフィードバックされる。
【００４３】
つぎにステップＳ５に移って、制御部１５は、流量センサ１１からの信号にもとづき浴槽Ｓに対する積算された（実際の）「湯はり量が、予め設定された湯はり量の−ｘＬ（リットル）であるか否か？」を選択する。
【００４４】
たとえば、浴槽Ｓに対する湯はり量を１８０Ｌと設定した場合、浴槽Ｓに１７８Ｌが供給され、あと２Ｌ（すなわち、−ｘＬ）で湯はりが完了することを検知すればＹｅｓとなり、ステップＳ６へ移る。１７８Ｌに至るまでは常にＮｏであり、ステップＳ４に戻って設定された温度の湯を浴槽Ｓへ供給し続ける。
【００４５】
ステップＳ６では、「混合弁１０をｙｙ℃位置に調整」するよう、制御部１５から混合弁１０へ制御信号を送る。すなわち、混合弁１０に設けられる高温水接続口ａの開度が絞られ、たとえば３０℃（ｙｙ℃）の温水が出るよう制御される。そして、ステップＳ７へ移る。
【００４６】
ステップＳ６における制御により、貯湯タンク２から混合弁１０への高温水の流量が低下するが、給水接続口ｂの開度はそのまま保持される。したがって、給水バイパス管１３から混合弁１０へ導かれる水の流量は変りがなく、３０℃に温度低下した温水が給湯栓８から浴槽Ｓへ供給される。
【００４７】
ステップＳ７で制御部１５は、浴槽Ｓへの「湯はり量が、設定された湯はり量と等しい、もしくは設定された湯はり量を上回ったか？」を、流量センサ１１からの検知信号にもとづいて演算する。ＮｏであればステップＳ６に戻り、ＹｅｓであればステップＳ８に移って「給水停止弁６を全閉」に切換え制御する。
【００４８】
ステップＳ８の制御で貯湯タンク２への給水圧が無くなると、流量センサ１１がこれを検知して制御部１５へ検知信号を送る。つぎに、ステップＳ９に移って、「湯はり終了後操作ありか？」の選択となり、ユーザーにより給湯栓８が閉成され、リモコンの湯はりスイッチがオフされたか否かが確認される。Ｎｏの場合はステップＳ８に戻り、Ｙｅｓの場合はステップＳ１０に移る。
【００４９】
このように、浴槽Ｓに対する湯はり設定量が１８０Ｌであり、ステップＳ１からステップＳ６に至るまでに、１７８Ｌ程度の設定温度の湯が浴槽Ｓへ供給される。ステップＳ６からステップＳ８までの制御で、残りの２Ｌが設定温度よりも低い温度で供給されても、浴槽Ｓ内の既に湯はりされた湯の温度はほとんど低下しない。
【００５０】
また、ステップＳ８で給水停止弁６が全閉になっても貯湯タンク２への給水が慣性により短時間は継続されるとともに、給水停止弁６の全閉切換え直後に貯湯タンク２の内圧により、貯湯タンク２から一部の高温水が出湯管７へ押し出される。  
しかしながら、ステップＳ６で混合弁１０の高温水接続口ａが絞られ、この状態がステップＳ８でも保持されているので、貯湯タンク２から出湯管７に押し出された高温水は混合弁１０で流量を絞られる。
【００５１】
高温水は、少しずつ時間をかけて混合弁１０を流通することになる。ここで、混合弁１０から給湯栓８，９までの出湯管７内にはステップＳ６で制御された低温の温水が充満している。この低温の温水に貯湯タンク２から押し出された少量の高温水が混合しても、上記出湯管７部分に残った温水全体の温度が上昇することはほとんどない。
【００５２】
ステップＳ１０では、「給水停止弁６を全開」に切換えて、つぎの給湯操作を待機する。ステップＳ９で給湯栓８が閉成されたことを確認しているので、ステップＳ１０で給水停止弁６を全開しても貯湯タンク２から高温水が押し上げられることはない。
【００５３】
つぎに、ステップＳ１１に移って、浴槽Ｓへの湯はりの終了に至る。この状態で、貯湯タンク２から給湯栓８，９に至る出湯管７には低温の温水が充満状態にある。たとえ、ステップＳ１１の直後に厨房等の給湯栓９を開放しても、出湯管７内に充満する低温の温水が先に出て、高温水が出ることは無い。したがって、使い勝手の向上を図れる。
【００５４】
なお、上記第１の実施の形態では、制御部１５が混合弁１０に対する制御をなすことで、湯はり終了時に出湯管７に低温の湯を溜めるようにしたが、これに限定されるものではない。すなわち、制御部１５が給水停止弁６に対する制御をなすことでも、湯はり終了時に同一の状態にすることは可能である。  
以下、制御部１５が給水停止弁６に対する制御をなす場合の実施の形態について説明する。
【００５５】
第２の実施の形態では、上記制御部１５は、浴槽Ｓへの湯はり量が設定された量に到達する直前に、混合弁１０の高温水側の開度を絞って設定温度よりも低い温度にして給湯し、設定された湯はり量に到達したところで給水停止弁６を遮断し、出湯管７に低温の湯を溜めるよう制御する。  
さらに詳細に説明する。
【００５６】
図４は、第２の実施の形態における湯はり制御のフローチャートを示す。  
ステップＴ１からＴ４に至るまでのフロー内容は、先に第１の実施の形態で説明した図３のステップＳ１からＳ４に至るまでのフロー内容と全く同一である。
【００５７】
すなわち、リモコンの湯はりスイッチを押してオンにすることで、給水停止弁６は全開制御される。浴槽Ｓに対する給湯栓９を開放すると、貯湯タンク２から高温水が出湯管７に押し出され、混合弁１０で水と混合する。混合弁１０で設定温度の湯となるよう制御され、浴槽Ｓに湯はりされるステップＴ４となる。
【００５８】
つぎに、ステップＴ５に移り、浴槽Ｓへの「湯はり量が、設定量と等しいか、もしくは設定量以上であるか否か？」が選択される。Ｎｏの場合はステップＴ４に戻り、Ｙｅｓの場合はステップＴ６に移る。
【００５９】
ステップＴ６において制御部１５は、給水停止弁６に対して「半開」位置になるよう制御信号を送る。給水停止弁６の弁体が０°位置にあるとき全閉で、９０°位置にあるとき全開であれば、４５°位置に制御される。そのため、給水停止弁６を介して貯湯タンク２と混合弁１０にそれぞれ導かれる給水量が半減される。
【００６０】
これにより貯湯タンク２の内圧が低下し、出湯管７に押し上げられる高温水の量が減少する。混合弁１０において、貯湯タンク２からの高温水と、給水バイパス管１３からの水が混合して給出されるので、このステップ以前の状態とは給湯量が減少するのは勿論のこと、より温度低下した温水に変る。
【００６１】
ステップＴ６からステップＴ７に移って、制御部１５は「Ｚ秒が経過したか否か？」を選択する。混合弁１０から温度低下した温水が所定時間であるＺ秒だけ継続して導かれるようカウントされ、Ｎｏの場合はステップＴ６に戻り、Ｙｅｓの場合はステップＴ８に移る。
【００６２】
ステップＴ８において制御部１５は、「給水停止弁６を全閉」状態に制御する。このステップＴ８以降でステップＴ１１の湯はり終了までのフロー内容は、第１の実施の形態におけるステップＳ８からステップＳ１１までのフロー内容と全く同一であるので、ここでは新たな説明を省略する。
【００６３】
結果として、ステップＴ１からステップＴ５に至るまでに、浴槽Ｓに対して設定温度の湯が、設定量もしくはそれ以上湯はりされる。ステップＴ６からステップＴ７の間は、設定温度よりも低温の温水が、Ｚ秒だけ供給されて停止するが、既に浴槽Ｓに湯はりされた湯に対する影響はほとんど無い。
【００６４】
半開状態にある給水停止弁６がステップＴ８で全閉になると、貯湯タンク２への給水が慣性により短時間は継続される。しかも、貯湯タンク２の内圧により、貯湯タンク２から極く少量の高温水が出湯管７へ押し出される。
【００６５】
第２の実施の形態では、給水停止弁６が半開状態から全閉状態になるので、第１の実施の形態よりも、さらに少ない量の高温水が押し出される。この高温水が出湯管７内に押し出され混合しても、出湯管７の温水温度が上昇することはほとんどない。
【００６６】
たとえ、ステップＴ１１の直後に厨房等の給湯栓９を開放しても、出湯管７内に充満する低温の温水が先に出て、高温水が出ることは無い。したがって、使い勝手の向上を図れる。
【００６７】
なお、第２の実施の形態における給水停止弁６に対する制御として、以下の変形例が可能である。（特に図示しない）  
第１の変形例として、制御部１５は浴槽Ｓに対する湯はり量が設定量に到達する数Ｌ前から、給水停止弁６を徐々に絞るよう制御する。貯湯タンク２に対する給水圧が徐々に下がり、出湯管７へ押し上げられる高温水の量が低減するとともに、混合弁１０に導かれる水量が低減し、給湯栓８から浴槽Ｓへの給湯量と温度低下を図る。
【００６８】
設定された湯はり量と同等、もしくはそれ以上になったら給水停止弁６を全閉し、給湯を終了する。このとき、給水停止弁６の開度がほとんど無く、貯湯タンク２の内圧の影響もないから、押し上げられる高温水の量も極く少ない。
【００６９】
出湯管７には低温の温水が溜められているから、湯はり終了ステップの直後に厨房等の給湯栓９を開放しても、出湯管７内に充満する低温の温水が先に出て、高温水が出ることは無い。したがって、使い勝手の向上を図れる。
【００７０】
第２の変形例として、制御部１５は浴槽Ｓに対する湯はりが設定量に到達する数Ｌ前から、給水停止弁６を徐々に絞るよう制御する。貯湯タンク２に対する給水圧が徐々に下がり、出湯管７へ押し上げられる高温水の量が低減するとともに、混合弁１０に導かれる水量が低減して、給湯栓８から浴槽Ｓへの給湯量と温度低下を図る。
【００７１】
給湯量が毎分１〜２Ｌまで低下したら、制御部１５は所定時間、その状態を保持するよう給水停止弁６を制御する。しかる後、給水停止弁６を全閉して給湯を終了する。全閉直前では給水停止弁６の開度がほとんど無く、貯湯タンク２内圧に対する影響も無く、押し上げられる高温水の量は極く少ない。
【００７２】
出湯管７には低温の温水が溜められているから、湯はり終了ステップの直後に厨房等の給湯栓９を開放しても、出湯管７内に充満する低温の温水が先に出て、高温水が出ることは無い。したがって、使い勝手の向上を図れる。
【００７３】
また、上述の実施の形態では、制御部１５は混合弁１０もしくは給水停止弁６に対する制御をなすことで、湯はり終了時に出湯管７に低温の温水を溜めるようにしたが、混合弁１０とともに給水停止弁６に対する制御をなすことでも同一の作用効果が得られる。
【００７４】
図５は、第３の実施の形態における湯はり制御のフローチャートを示す。  
ステップＵ１からＵ７に至るまでのフロー内容は、先に第１の実施の形態で説明した、図３のステップＳ１からＳ７に至るまでのフロー内容と全く同一である。
【００７５】
すなわち、ステップＵ１からＵ４で設定温度の湯が浴槽Ｓへ給湯され、ステップＵ５で設定された湯はり量の−ｘＬであることを確認したあと、ステップＵ６でたとえば３０℃に温度低下した温水を導き、ステップＵ７で浴槽Ｓへの湯はり量が設定された湯はり量と同等、もしくはそれ以上を確認してからステップＵ８に移る。
【００７６】
上記ステップＵ７は、また、第２の実施の形態で説明した、図４のステップＴ５と同一である。そして、第３の実施の形態におけるステップＵ７から湯はり終了のステップＵ１３までのフロー内容は、第２の実施の形態におけるステップＴ５からステップＴ１１までのフロー内容と同一である。
【００７７】
なお説明すると、浴槽Ｓへの湯はり量を確認してから給水停止弁６を半開状態にして給水量を絞り、貯湯タンク２から押し出される高温水の量を低減させる。混合弁１０から導かれる温水の流量とともに温度がさらに低下し、この状態をＺ秒継続してから給水停止弁６を全閉する。
【００７８】
既に浴槽Ｓには、ほとんど設定温度の湯が、設定量もしくはそれ以上湯はりされていて、温度低下した温水がわずかな量だけ供給されたところで、湯はりされた湯の温度への影響がない。
【００７９】
給水停止弁６を全閉すると貯湯タンク２から僅かな量の高温水が出湯管７へ押し出されるが、既に出湯管７は低温の温水で満たされているから、この温水が高温化することはない。湯はり終了後のタイミングに合せて厨房等に設けられる給湯栓９を開放しても低温の温水が出て、高温水が出ることは無い。したがって、使い勝手の向上を図れる。
【００８０】
本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【符号の説明】
【００８１】
３…ヒートポンプユニット（加熱手段）、２…貯湯タンク、５…給水管、６…給水停止弁、８，９…（浴槽や厨房等に設けられる）給湯栓、７…出湯管、１３…給水バイパス管、１０…混合弁、１５…制御部（制御手段）。
【図１】
0005401348.tif 000002
【図２】
0005401348.tif 000003
【図３】
0005401348.tif 000004
【図４】
0005401348.tif 000005
【図５】
0005401348.tif 000006